(57)【要約】データ信号およびリソース信号（ＲＳ）を送信するための技術が提供される。ある態様によれば、アクセス・ポイントは、共通基準信号（ＣＲＳ）を送信するＣｏＭＰセット内の１または複数のアクセス・ポイントに関連するＲＳリソース位置を決定し、先ず、このＲＳリソース位置に関連するものとは異なるリソースにデータ送信をマップし、ＲＳリソース位置に関連するリソースに残りのデータ送信をマップしうる。ある態様によれば、無線デバイスは、データに重ね合わされた共通基準信号（ＣＲＳ）を備える調整されたマルチ・ポイント（ＣｏＭＰ）通信セットにおけるアクセス・ポイントから信号を受信し、このＣＲＳに対応する信号におけるＣＲＳ位置を決定し、決定されたＣＲＳ位置に少なくとも部分的に基づいて、信号からのデータを復号しうる。
2013501424.tif 000002
【特許請求の範囲】
【請求項１】
無線通信のための方法であって、
調整されたマルチ・ポイント（ＣｏＭＰ）通信セット内のアクセス・ポイントから信号を受信することと、ここで、前記信号は、データに重ね合わされた共通基準信号（ＣＲＳ）を備える、
前記ＣＲＳに対応する信号におけるＣＲＳ位置を決定することと、
前記決定されたＣＲＳ位置に少なくとも部分的に基づいて、前記信号からのデータを復号することと、
を備える方法。
【請求項２】
前記復号することは、前記ＣＲＳに関連するトーンを抽出するために、前記決定されたＣＲＳ位置の知見に基づいて、前記信号に統合検出を利用することを備える、請求項１に記載の方法。
【請求項３】
ＣｏＭＰに参加するアクセス・ポイントを示すインジケーションを受信することと、
前記インジケーションに基づいて前記ＣＲＳ位置を決定することと、
をさらに備える請求項２に記載の方法。
【請求項４】
前記ＣｏＭＰセット内の非サービス提供アクセス・ポイントのＣＲＳトーン位置のためのレート・マッチング・スキームを、サービス提供セルＣＲＳ送信に基づいて導出することと、
前記非サービス提供アクセス・ポイントのＣＲＳトーン位置に重ね合わされたデータを復号することと、
をさらに備える請求項３に記載の方法。
【請求項５】
前記復号することは、前記ＣＲＳに関連するトーンを除去するために、前記信号に干渉除去を利用することを備える、請求項１に記載の方法。
【請求項６】
無線通信のための方法であって、
共通基準信号（ＣＲＳ）を送信する、調整されたマルチ・ポイント（ＣｏＭＰ）セット内の１または複数のアクセス・ポイントに関連する基準信号（ＲＳ）リソース位置を決定することと、
前記決定されたＲＳリソース位置に対応しない第１のリソースのセットに、先ず、データ送信をマップすることと、
前記決定されたＲＳリソース位置に対応する第２のリソースのセットに、残りのデータ送信をマップすることと、
を備える方法。
【請求項７】
前記残りのデータ送信をマップすることは、前記決定されたＲＳリソース位置に対応しないリソース位置を使い果たした後のにみ、前記決定されたＲＳリソース位置に対応するリソースに、残りのデータ送信をマップすることを備える、請求項６に記載の方法。
【請求項８】
前記残りのデータ送信をマップすることは、前記残りのデータ送信を、先ず、前記ＣｏＭＰセット内の、サービス提供アクセス・ポイント以外のアクセス・ポイントによって使用される、決定されたＲＳリソース位置に対応するリソース要素にマップすることを備える、請求項６に記載の方法。
【請求項９】
前記ＲＳリソース位置を決定することは、前記１または複数のアクセス・ポイントまたは関連するセルの識別子に少なくとも部分的に基づいて、前記ＲＳリソース位置を計算することを備える、請求項６に記載の方法。
【請求項１０】
前記調整されたマルチ・ポイント（ＣｏＭＰ）通信に参加するアクセス・ポイントのうちの１または複数のアクセス・ポイントに、インジケーションを提供することをさらに備える、請求項６に記載の方法。
【請求項１１】
前記インジケーションは、物理ダウンリンク制御チャネル（ＰＤＣＣＨ）によって提供される、請求項１０に記載の方法。
【請求項１２】
無線通信のための装置であって、
調整されたマルチ・ポイント（ＣｏＭＰ）通信セット内のアクセス・ポイントから信号を受信し、ここで、前記信号は、データに重ね合わされた共通基準信号（ＣＲＳ）を備える、
前記ＣＲＳに対応する信号におけるＣＲＳ位置を決定し、
前記決定されたＣＲＳ位置に少なくとも部分的に基づいて、前記信号からのデータを復号する、
ように構成された少なくとも１つのプロセッサと、
前記少なくとも１つのプロセッサに接続されたメモリと、
を備える装置。
【請求項１３】
前記復号するように構成された少なくとも１つのプロセッサはさらに、
前記ＣＲＳに関連するトーンを抽出するために、前記決定されたＣＲＳ位置の知見に基づいて、前記信号に統合検出を利用する、
ように構成された請求項１２に記載の装置。
【請求項１４】
前記少なくとも１つのプロセッサはさらに、
ＣｏＭＰに参加するアクセス・ポイントを示すインジケーションを受信し、
前記インジケーションに基づいて前記ＣＲＳ位置を決定する、
ように構成された請求項１３に記載の装置。
【請求項１５】
前記少なくとも１つのプロセッサはさらに、
前記ＣｏＭＰセット内の非サービス提供アクセス・ポイントのＣＲＳトーン位置のためのレート・マッチング・スキームを、サービス提供セルＣＲＳ送信に基づいて導出し、
前記非サービス提供アクセス・ポイントのＣＲＳトーン位置に重ね合わされたデータを復号する、
ように構成された請求項１４に記載の装置。
【請求項１６】
前記復号するように構成された少なくとも１つのプロセッサはさらに、
前記ＣＲＳに関連するトーンを除去するために、前記信号に干渉除去を利用する、
ように構成された請求項１２に記載の装置。
【請求項１７】
無線通信のための装置であって、
共通基準信号（ＣＲＳ）を送信する、調整されたマルチ・ポイント（ＣｏＭＰ）セットにおける１または複数のアクセス・ポイントに関連する基準信号（ＲＳ）リソース位置を決定し、
前記決定されたＲＳリソース位置に対応しない、第１のリソースのセットに、最初に、データ送信をマップし、
前記決定されたＲＳリソース位置に対応する、第２のリソースのセットに、残りのデータ送信をマップする、
ように構成された少なくとも１つのプロセッサと、
前記少なくとも１つのプロセッサに接続されたメモリと、
を備える装置。
【請求項１８】
前記残りのデータ送信をマップするように構成された少なくとも１つのプロセッサはさらに、
前記決定されたＲＳリソース位置に対応しないリソース位置を使い果たした後のにみ、前記決定されたＲＳリソース位置に対応するリソースに、残りのデータ送信をマップする、ように構成された請求項１７に記載の装置。
【請求項１９】
前記残りのデータ送信をマップするように構成された少なくとも１つのプロセッサはさらに、
前記残りのデータ送信を、先ず、前記ＣｏＭＰセット内の、サービス提供アクセス・ポイント以外のアクセス・ポイントによって使用される、決定されたＲＳリソース位置に対応するリソース要素にマップする、
ように構成された請求項１７に記載の装置。
【請求項２０】
前記ＲＳリソース位置を決定するように構成された少なくとも１つのプロセッサはさらに、
前記１または複数のアクセス・ポイントまたは関連するセルの識別子に少なくとも部分的に基づいて、前記ＲＳリソース位置を計算する、
ように構成された請求項１７に記載の装置。
【請求項２１】
前記少なくとも１つのプロセッサはさらに、
調整されたマルチ・ポイント（ＣｏＭＰ）通信に参加するアクセス・ポイントのうちの１または複数のアクセス・ポイントに、インジケーションを提供する、
ように構成された請求項１７に記載の装置。
【請求項２２】
前記インジケーションは、物理ダウンリンク制御チャネル（ＰＤＣＣＨ）によって提供される、請求項２１に記載の装置。
【請求項２３】
無線通信のための装置であって、
調整されたマルチ・ポイント（ＣｏＭＰ）通信セット内のアクセス・ポイントから信号を受信する手段と、ここで、前記信号は、データに重ね合わされた共通基準信号（ＣＲＳ）を備える、
前記ＣＲＳに対応する信号におけるＣＲＳ位置を決定する手段と、
前記決定されたＣＲＳ位置に少なくとも部分的に基づいて、前記信号からのデータを復号する手段と、
を備える装置。
【請求項２４】
前記復号する手段は、前記ＣＲＳに関連するトーンを抽出するために、前記決定されたＣＲＳ位置の知見に基づいて、前記信号に統合検出を利用する手段を備える、請求項２３に記載の装置。
【請求項２５】
ＣｏＭＰに参加するアクセス・ポイントを示すインジケーションを受信する手段と、
前記インジケーションに基づいて前記ＣＲＳ位置を決定する手段と、
をさらに備える請求項２４に記載の装置。
【請求項２６】
前記ＣｏＭＰセット内の非サービス提供アクセス・ポイントのＣＲＳトーン位置のためのレート・マッチング・スキームを、サービス提供セルＣＲＳ送信に基づいて導出する手段と、
前記非サービス提供アクセス・ポイントのＣＲＳトーン位置に重ね合わされたデータを復号する手段と、
さらに備える請求項２５に記載の装置。
【請求項２７】
前記復号する手段は、前記ＣＲＳに関連するトーンを除去するために、前記信号に干渉除去を利用する手段を備える、請求項２３に記載の装置。
【請求項２８】
無線通信のための装置であって、
共通基準信号（ＣＲＳ）を送信する、調整されたマルチ・ポイント（ＣｏＭＰ）セット内の１または複数のアクセス・ポイントに関連する基準信号（ＲＳ）リソース位置を決定する手段と、
前記決定されたＲＳリソース位置に対応しない第１のリソースのセットに、先ず、データ送信をマップする手段と、
前記決定されたＲＳリソース位置に対応する第２のリソースのセットに、残りのデータ送信をマップする手段と、
を備える装置。
【請求項２９】
前記残りのデータ送信をマップする手段は、前記決定されたＲＳリソース位置に対応しないリソース位置を使い果たした後のにみ、前記決定されたＲＳリソース位置に対応するリソースに、残りのデータ送信をマップする手段を備える、請求項２８に記載の装置。
【請求項３０】
前記残りのデータ送信をマップする手段は、前記残りのデータ送信を、先ず、前記ＣｏＭＰセット内の、サービス提供アクセス・ポイント以外のアクセス・ポイントによって使用される、前記決定されたＲＳリソース位置に対応するリソース要素にマップする手段を備える、請求項２８に記載の装置。
【請求項３１】
前記ＲＳリソース位置を決定する手段は、前記１または複数のアクセス・ポイントまたは関連するセルの識別子に少なくとも部分的に基づいて、前記ＲＳリソース位置を計算する手段を備える、請求項２８に記載の装置。
【請求項３２】
調整されたマルチ・ポイント（ＣｏＭＰ）通信に参加するアクセス・ポイントのうちの１または複数のアクセス・ポイントに、インジケーションを提供する手段をさらに備える、請求項２８に記載の装置。
【請求項３３】
前記インジケーションは、物理ダウンリンク制御チャネル（ＰＤＣＣＨ）によって提供される、請求項３２に記載の装置。
【請求項３４】
１または複数のプロセッサによって実行可能な、格納された命令群を有するコンピュータ読取可能な媒体を備える、無線通信のためのコンピュータ・プログラム製品であって、前記命令群は、
調整されたマルチ・ポイント（ＣｏＭＰ）通信セット内のアクセス・ポイントから信号を受信するための命令群と、ここで、前記信号は、データに重ね合わされた共通基準信号（ＣＲＳ）を備える、
前記ＣＲＳに対応する信号におけるＣＲＳ位置を決定するための命令群と、
前記決定されたＣＲＳ位置に少なくとも部分的に基づいて、前記信号からのデータを復号するための命令群と、
を備えるコンピュータ・プログラム製品。
【請求項３５】
前記復号するための命令群は、前記ＣＲＳに関連するトーンを抽出するために、前記決定されたＣＲＳ位置の知見に基づいて、前記信号に統合検出を利用するための命令群を備える、請求項３４に記載のコンピュータ・プログラム製品。
【請求項３６】
ＣｏＭＰに参加するアクセス・ポイントを示すインジケーションを受信するための命令群と、
前記インジケーションに基づいて前記ＣＲＳ位置を決定するための命令群と、
をさらに備える請求項３５に記載のコンピュータ・プログラム製品。
【請求項３７】
前記ＣｏＭＰセット内の非サービス提供アクセス・ポイントのＣＲＳトーン位置のためのレート・マッチング・スキームを、サービス提供セルＣＲＳ送信に基づいて導出するための命令群と、
前記非サービス提供アクセス・ポイントのＣＲＳトーン位置に重ね合わされたデータを復号するための命令群と、
をさらに備える請求項３６に記載のコンピュータ・プログラム製品。
【請求項３８】
前記復号するための命令群は、前記ＣＲＳに関連するトーンを除去するために、前記信号に干渉除去を利用するための命令群を備える、請求項３４に記載のコンピュータ・プログラム製品。
【請求項３９】
１または複数のプロセッサによって実行可能な、格納された命令群を有するコンピュータ読取可能媒体を備える、無線通信のためのコンピュータ・プログラム製品であって、前記命令群は、
共通基準信号（ＣＲＳ）を送信する、調整されたマルチ・ポイント（ＣｏＭＰ）セット内の１または複数のアクセス・ポイントに関連する基準信号（ＲＳ）リソース位置を決定するための命令群と、
前記決定されたＲＳリソース位置に対応しない第１のリソースのセットに、先ず、データ送信をマップするための命令群と、
前記決定されたＲＳリソース位置に対応する第２のリソースのセットに、残りのデータ送信をマップするための命令群と、
を備えるコンピュータ・プログラム製品。
【請求項４０】
前記残りのデータ送信をマップするための命令群は、前記決定されたＲＳリソース位置に対応しないリソース位置を使い果たした後のにみ、前記決定されたＲＳリソース位置に対応するリソースに、残りのデータ送信をマップするための命令群を備える、請求項３９に記載のコンピュータ・プログラム製品。
【請求項４１】
前記残りのデータ送信をマップするための命令群は、前記残りのデータ送信を、先ず、前記ＣｏＭＰセット内の、サービス提供アクセス・ポイント以外のアクセス・ポイントによって使用される、前記決定されたＲＳリソース位置に対応するリソース要素にマップするための命令群を備える、請求項３９に記載のコンピュータ・プログラム製品。
【請求項４２】
前記ＲＳリソース位置を決定するための命令群は、前記１または複数のアクセス・ポイントまたは関連するセルの識別子に少なくとも部分的に基づいて、前記ＲＳリソース位置を計算するための命令群を備える、請求項３９に記載のコンピュータ・プログラム製品。
【請求項４３】
調整されたマルチ・ポイント（ＣｏＭＰ）通信に参加するアクセス・ポイントのうちの１または複数のアクセス・ポイントに、インジケーションを提供するための命令群をさらに備える、請求項３９に記載のコンピュータ・プログラム製品。
【請求項４４】
前記インジケーションは、物理ダウンリンク制御チャネル（ＰＤＣＣＨ）によって提供される、請求項４３に記載のコンピュータ・プログラム製品。
【発明の詳細な説明】
【優先権主張】
【０００１】
本特許出願は、本願の譲受人に譲渡され、本明細書において参照によって明確に組み込まれている２００９年７月３０日出願の「ＣｏＭＰ送信のロバストな復号」（Robust Decoding of CoMP Transmissions）と題された仮特許出願６１／２３０，０６８号の利益を要求する。
【背景技術】
【０００２】
無線通信システムは、例えば、音声、データ等のようなさまざまなタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００３】
一般に、無線多元接続通信システムは、複数の無線端末のための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００４】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００５】
さらに、調整されたマルチ・ポイント（ＣｏＭＰ）構成において、複数の基地局が、所与のモバイル端末への送信、および／または、所与のモバイル端末からの受信を行い、モバイル端末と通信におけるスループットおよび／または信号品質を高めることを容易にする。１つの例では、ＣｏＭＰを用いて動作する基地局は、実質的に同じ期間中、実質的に同じデータを所与のモバイル端末へ送信しうる。
【発明の概要】
【０００６】
本開示のある態様は、無線通信のための方法を提供する。この方法は一般に、調整されたマルチ・ポイント（ＣｏＭＰ）通信セット内のアクセス・ポイントから信号を受信することと、ここで、信号は、データに重ね合わされた共通基準信号（ＣＲＳ）を備える、ＣＲＳに対応する信号におけるＣＲＳ位置を決定することと、決定されたＣＲＳ位置に少なくとも部分的に基づいて、この信号からのデータを復号することとを含む。
【０００７】
本開示のある態様は、無線通信のための方法を提供する。この方法は一般に、共通基準信号（ＣＲＳ）を送信する、調整されたマルチ・ポイント（ＣｏＭＰ）セット内の１または複数のアクセス・ポイントに関連する基準信号（ＲＳ）リソース位置を決定することと、先ず、決定されたＲＳリソース位置に対応しない第１のリソースのセットに、データ送信をマップすることと、決定されたＲＳリソース位置に対応する第２のリソースのセットに、残りのデータ送信をマップすることと、を含む。
【０００８】
本開示のある態様は、無線通信のための装置を提供する。この装置は一般に、調整されたマルチ・ポイント（ＣｏＭＰ）通信セット内のアクセス・ポイントから信号を受信し、ここで、信号は、データに重ねられた共通基準信号（ＣＲＳ）を備える、ＣＲＳに対応する信号におけるＣＲＳ位置を決定し、決定されたＣＲＳ位置に少なくとも部分的に基づいて、信号からのデータを復号する、ように構成された少なくとも１つのプロセッサと、少なくとも１つのプロセッサに接続されたメモリと、を含む。
【０００９】
本開示のある態様は、無線通信のための装置を提供する。この装置は一般に、共通基準信号（ＣＲＳ）を送信する、調整されたマルチ・ポイント（ＣｏＭＰ）セットにおける１または複数のアクセス・ポイントに関連する基準信号（ＲＳ）リソース位置を決定し、決定されたＲＳリソース位置に対応しない、第１のリソースのセットに、最初に、データ送信をマップし、決定されたＲＳリソース位置に対応する、第２のリソースのセットに、残りのデータ送信をマップするように構成された少なくとも１つのプロセッサと、少なくとも１つのプロセッサに接続されたメモリと、を含む。
【００１０】
本開示のある態様は、無線通信のための装置を提供する。この装置は一般に、調整されたマルチ・ポイント（ＣｏＭＰ）通信セット内のアクセス・ポイントから信号を受信する手段と、ここで、信号は、データに重ね合わされた共通基準信号（ＣＲＳ）を備える、ＣＲＳに対応する信号におけるＣＲＳ位置を決定する手段と、決定されたＣＲＳ位置に少なくとも部分的に基づいて、信号からのデータを復号する手段とを含む。
【００１１】
本開示のある態様は、無線通信のための装置を提供する。この装置は一般に、共通基準信号（ＣＲＳ）を送信する、調整されたマルチ・ポイント（ＣｏＭＰ）セットにおける１または複数のアクセス・ポイントに関連する基準信号（ＲＳ）リソース位置を決定する手段と、先ず、決定されたＲＳリソース位置に対応しない第１のリソースのセットに、データ送信をマップする手段と、決定されたＲＳリソース位置に対応する第２のリソースのセットに、残りのデータ送信をマップする手段と、を含む。
【００１２】
ある態様は、１または複数のプロセッサによって実行可能な、格納された命令群を有するコンピュータ読取可能な媒体を備える、無線通信のためのコンピュータ・プログラム製品を提供する。これら命令群は一般に、調整されたマルチ・ポイント（ＣｏＭＰ）通信セット内のアクセス・ポイントから信号を受信するための命令群と、ここで、信号は、データに重ね合わされた共通基準信号（ＣＲＳ）を備える、ＣＲＳに対応する信号におけるＣＲＳ位置を決定するための命令群と、決定されたＣＲＳ位置に少なくとも部分的に基づいて、信号からのデータを復号するための命令群とを含む。
【００１３】
ある態様は、１または複数のプロセッサによって実行可能な、格納された命令群を有するコンピュータ読取可能な媒体を備える、無線通信のためのコンピュータ・プログラム製品を提供する。これら命令群は一般に、共通基準信号（ＣＲＳ）を送信する、調整されたマルチ・ポイント（ＣｏＭＰ）セット内の１または複数のアクセス・ポイントに関連する基準信号（ＲＳ）リソース位置を決定するための命令群と、先ず、決定されたＲＳリソース位置に対応しない第１のリソースのセットに、データ送信をマップするための命令群と、決定されたＲＳリソース位置に対応する第２のリソースのセットに、残りのデータ送信をマップするための命令群と、を含む。
【図面の簡単な説明】
【００１４】
本開示の特徴、特性、および利点は、同一の参照符号が全体を通じて同一物に特定している図面とともに考慮された場合、以下に記載する詳細な記載からより明らかになるだろう。
【図１】図１は、１つの実施形態にしたがう多元接続無線通信システムを例示する。
【図２】図２は、通信システムのブロック図を例示する。
【図３】図３は、共通基準信号（ＣＲＳ）送信に関するデータのマップおよび復号を容易にするシステムの例を例示する。
【図４】図４は、データ送信およびＣＲＳ送信のために割り当てられたリソース・ブロック部分の例を例示する。
【図５】図５は、ＣＲＳ送信のために追加で使用されるリソースでデータを復号することを容易にする方法の例を例示する。
【図６】図６は、ＣＲＳ送信のために使用されないリソースに最初にデータをマップすることを容易にする方法の例を例示する。
【図７】図７は、ＣＲＳ送信のために使用されないリソースに最初にデータをマップすることを容易にする方法の例を例示する。
【図８】図８は、先ず、ＣＲＳ送信のために使用されるリソース・ブロックを回避する、データ送信のために割り当てられたリソース・ブロック部分の例を例示する。
【図９】図９は、ＣＲＳ送信のために使用されるリソース・ブロックを利用する、データ送信のために割り当てられたリソース・ブロック部分の例を例示する。
【発明を実施するための形態】
【００１５】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含んでいる。ｃｄｍａ２０００は、ＩＳ−２０００規格、ＩＳ−９５規格、およびＩＳ−８５６規格をカバーする。ＴＤＭＡネットワークは、例えばグローバル・システム・フォー・モバイル通信（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実施することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００１６】
シングル・キャリア周波数分割多元接続（ＳＣ−ＦＤＭＡ）は、単一のキャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、固有の単一キャリア構造により、低いピーク対平均電力比（ＰＡＰＲ）を有する。ＳＣ−ＦＤＭＡは、送信電力効率の観点において、低ＰＡＰＲがモバイル端末に大いに有益となるアップリンク通信において、特に大きな注目を集めた。それは現在、３ＧＰＰロング・ターム・イボリューション（ＬＴＥ）またはイボルブドＵＴＲＡにおけるアップリンク多元接続スキームのための動作前提である。
【００１７】
図１に示すように、１つの実施形態にしたがう多元接続無線通信システムが例示される。アクセス・ポイント１００（ＡＰ）は、１つは１０４、１０６を含み、他のものは１０８、１１０を含み、さらに他のものは１１２、１１４を含む複数のアンテナ・グループを含んでいる。図１では、おのおののアンテナ・グループについて２本のアンテナしか示されていない。しかしながら、おのおののアンテナ・グループについて、それより多くまたはそれより少ないアンテナが利用されうる。アクセス端末１１６（ＡＴ）はアンテナ１１２およびアンテナ１１４と通信しており、アンテナ１１２、１１４は、順方向リンク１２０でアクセス端末１１６へ情報を送信し、逆方向リンク１１８でアクセス端末１１６から情報を受信する。アクセス端末１２２は、アンテナ１０６、１０８と通信しており、アンテナ１０６、１０８は、順方向リンク１２６でアクセス端末１２２へ情報を送信し、逆方向リンク１２４でアクセス端末１２２から情報を受信する。ＦＤＤシステムでは、通信リンク１１８、１２０、１２４、１２６は、通信のために、異なる周波数を使用しうる。例えば、順方向リンク１２０は、逆方向リンク１１８によって使用されるものとは異なる周波数を使用しうる。
【００１８】
通信するように設計された領域および／またはアンテナのおのおののグループは、しばしば、アクセス・ポイントのセクタと称される。実施形態では、アンテナ・グループはおのおの、アクセス・ポイント１００によってカバーされている領域のセクタ内のアクセス端末と通信するように設計されている。
【００１９】
順方向リンク１２０、１２６による通信では、アクセス・ポイント１００の送信アンテナは、別のアクセス端末１１６、１２４の順方向リンクの信号対雑音比を改善するために、ビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２０】
アクセス・ポイントは、端末と通信するために使用される固定局であり、アクセス・ポイント、ノードＢ、あるいはその他幾つかの専門用語でも称されうる。アクセス端末はまた、アクセス端末、ユーザ機器（ＵＥ）、無線通信デバイス、端末、アクセス端末、あるいはその他いくつかの専門用語で称されうる。さらに、アクセス・ポイントは、マクロセル・アクセス・ポイント、フェムトセル・アクセス・ポイント、ピコセル・アクセス・ポイント等でありうる。
【００２１】
図示するように、１つの例において、アクセス端末１２２は同様に、アクセス・ポイント１２８および／またはアクセス・ポイント１３０と通信しうる。１つの例において、アクセス・ポイント１２８は、マクロセル・アクセス・ポイントでありうる。そして、アクセス・ポイント１３０は、例えばフェムトセル・アクセス・ポイントのようなより小規模なアクセス・ポイントでありうる。しかしながら、これらのアクセス・ポイント１２８、１３０はまた、実質的には一種のアクセス・ポイントでありうることが認識されるべきである。アクセス・ポイント１００、１２８、および／または１３０は、調整されたマルチ・ポイント（ＣｏＭＰ）モードでアクセス端末１２２と通信しうる。これによって、アクセス・ポイント１００、１２８、および／または１３０は、同じデータを、実質的に同時にアクセス端末１２２へ送信できるようになる。同様に、アクセス・ポイント１００、１２８、および／または１３０は、アクセス端末１２２から送信を受信しうる。アクセス・ポイント１００、１２８、および／または１３０はまた、ＣｏＭＰ通信を容易にするために、（例えば、コア無線ネットワークまたはその他を介した）バックホール・リンクによって、無線あるいはその他によって、互いに通信しうることが認識されるべきである。
【００２２】
さらに、アクセス・ポイント１００、１２８、および１３０は、専用基準信号（ＤＲＳ）をアクセス端末１２２へ送信しうる。これは、ＣｏＭＰ通信におけるものと実質的に同じＤＲＳでありうる。アクセス・ポイント１００、１２８、および１３０はまた、共通基準信号（ＣＲＳ）をも送信しうる。これは、所与のアクセス・ポイントによって提供されたセルの識別子に基づいて選択されるリソースにマップされうる。アクセス・ポイント１００、１２８、および１３０、および／または、アクセス端末１２２は、ＣＲＳ送信によって引き起こされる可能な干渉を緩和しうる。一例では、アクセス・ポイント１００、１２８、および１３０はまず、ＣＲＳを送信するために使用されないリソース要素によって、データ送信をマップしうる。別の例では、アクセス・ポイント１００、１２８、および／または１３０は、セルのＣｏＭＰセットを、アクセス端末１２２へ示しうる。そして、アクセス端末１２２は、ＣＲＳがいつ送信されるのかを、セルの識別子に基づいて判定し、この情報を、復号時に使用しうる。また別の例において、アクセス・ポイント１００、１２８、および１３０は、他のセルからのデータ送信に重ね合わされたＣＲＳを送信しうる。そして、アクセス端末１２２は、データ送信を復号するために、統合検出、干渉除去等を利用しうる。
【００２３】
図２は、ＭＩＭＯシステム２００における送信機システム２１０（アクセス・ポイントとしても知られている）および受信機システム２５０（アクセス端末としても知られている）の実施形態のブロック図である。送信機システム２１０では、多くのデータ・ストリーム用のトラフィック・データが、データ・ソース２１２から送信（ＴＸ）データ・プロセッサ２１４に提供される。
【００２４】
実施形態では、おのおののデータ・ストリームは、それぞれの送信アンテナを通して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００２５】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、その後、このデータ・ストリームのために選択された特定の変調スキーム（例えば、ＢＰＳＫ、ＱＰＳＫ、Ｍ−ＰＳＫ、またはＭ−ＱＡＭ）に基づいて変調（すなわち、シンボル・マップ）され、変調シンボルが提供される。おのおののデータ・ストリームのデータ・レート、符号化、および変調は、プロセッサ２３０によって実行される命令群によって決定されうる。
【００２６】
すべてのデータ・ストリームの変調シンボルは、（例えば、ＯＦＤＭのための）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、このシンボルが送信されるアンテナへ、ビームフォーミング重みを適用する。
【００２７】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００２８】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００２９】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、さらに、検出された各シンボル・ストリームを復調、デインタリーブ、および復号し、データ・ストリームのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００３０】
プロセッサ２７０は、上述したように、どの事前符号化行列を使用するのかを定期的に決定する。さらに、プロセッサ２７０は、行列インデクス部およびランク値部を備えた逆方向リンク・メッセージを規定することができる。
【００３１】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３２】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどの事前符号化行列を使用するかを決定し、この抽出されたメッセージを処理する。
【００３３】
態様では、論理チャネルが、制御チャネルとトラフィック・チャネルとに分類される。論理制御チャネルは、システム制御情報をブロードキャストするためのＤＬチャネルであるブロードキャスト制御チャネル（ＢＣＣＨ）を備える。ページング情報を転送するＤＬチャネルであるページング制御チャネル（ＰＣＣＨ）。１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）。一般に、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。態様では、論理トラフィック・チャネルは、ユーザ情報の転送のために、１つのＵＥに専用のポイント・トゥ・ポイント双方向チャネルである専用トラフィック・チャネル（ＤＴＣＨ）と、トラフィック・データを送信するためのポイント・トゥ・マルチポイントＤＬチャネルのためのマルチキャスト・トラフィック・チャネル（ＭＴＣＨ）を備える。
【００３４】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされ、他の制御／トラフィック・チャネルのために使用されるＰＨＹリソースへマップされることによって、ＵＥの節電をサポートする（例えば、ＤＲＸサイクルが、ネットワークによってＵＥへ示されうる等）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。ＰＨＹチャネルは、ＤＬチャネルとＵＬチャネルとのセットを備える。
【００３５】
ＤＬ  ＰＨＹチャネルは以下を備える。  
共通パイロット・チャネル（ＣＰＩＣＨ）、  
同期チャネル（ＳＣＨ）、  
共通制御チャネル（ＣＣＣＨ）、  
共有ＤＬ制御チャネル（ＳＤＣＣＨ）、  
マルチキャスト制御チャネル（ＭＣＣＨ）、  
共有ＵＬ割当チャネル（ＳＵＡＣＨ）、  
アクノレッジメント・チャネル（ＡＣＫＣＨ）、  
ＤＬ物理共有データ・チャネル（ＤＬ−ＰＳＤＣＨ）、  
ＵＬ電力制御チャネル（ＵＰＣＣＨ）、  
ページング・インジケータ・チャネル（ＰＩＣＨ）、  
負荷インジケータ・チャネル（ＬＩＣＨ）。
【００３６】
ＵＬ  ＰＨＹチャネルは以下を備える。  
物理ランダム・アクセス・チャネル（ＰＲＡＣＨ）、  
チャネル品質インジケータ・チャネル（ＣＱＩＣＨ）、  
アクノレッジメント・チャネル（ＡＣＫＣＨ）、  
アンテナ・サブセット・インジケータ・チャネル（ＡＳＩＣＨ）、  
共有要求チャネル（ＳＲＥＱＣＨ）、  
ＵＬ物理共有データ・チャネル（ＵＬ−ＰＳＤＣＨ）、  
ブロードキャスト・パイロット・チャネル（ＢＰＩＣＨ）。
【００３７】
態様では、シングル・キャリア波形の低ＰＡＲ（所与の時間において、チャネルは、周波数において隣接しているか、あるいは一定の間隔をもって配置されている）特性を維持するチャネル構造が提供される。
【００３８】
本書の目的のために、以下の略語を適用する。  
ＡＭ：アクノレッジ・モード、  
ＡＭＤ：アクノレッジ・モード・データ、  
ＡＲＱ：自動反復要求、  
ＢＣＣＨ：ブロードキャスト制御チャネル、  
ＢＣＨ：ブロードキャスト・チャネル、  
Ｃ−：制御−、  
ＣＣＥ：制御チャンネル要素、  
ＣＣＣＨ：共通制御チャネル、  
ＣＣＨ：制御チャネル、  
ＣＣＴｒＣＨ：符号化された合成伝送チャネル、
ＣＰ：サイクリック・プレフィクス、  
ＣＱＩ：チャネル品質インジケータ、  
ＣＲＣ：巡回冗長検査、  
ＣＲＳ：共通基準信号、  
ＣＴＣＨ：共通トラフィック・チャネル、  
ＤＣＣＨ：専用制御チャネル、  
ＤＣＨ：専用チャネル、  
ＤＣＩ：ダウンリンク制御情報、  
ＤＬ：ダウンリンク、  
ＤＲＳ：専用基準信号、  
ＤＳＣＨ：ダウンリンク共有チャネル、  
ＤＴＣＨ：専用トラフィック・チャネル、  
Ｅ−ＣＩＤ：エンハンスト・セル識別情報、  
ＦＡＣＨ：順方向リンク・アクセス・チャネル、  
ＦＤＤ：周波数分割デュプレクス、  
ＦＳＴＤ：周波数切換送信ダイバーシティ、  
Ｌ１：レイヤ１（物理レイヤ）、  
Ｌ２：レイヤ２（データ・リンク・レイヤ）、  
Ｌ３：レイヤ３（ネットワーク・レイヤ）、  
ＬＩ：長さインジケータ。  
ＬＬＲ：ログ尤度比、  
ＬＳＢ：最下位ビット、  
ＭＡＣ：媒体アクセス制御、  
ＭＢＭＳ：マルチメディア・ブロードキャスト・マルチキャスト・サービス。  
ＭＣＣＨ：ＭＢＭＳポイント・トゥ・マルチポイント制御チャネル、  
ＭＲＷ：動き受信ウィンドウ、  
ＭＳＢ：最上位ビット、  
ＭＳＣＨ：ＭＢＭＳポイント・トゥ・マルチポイント・スケジューリング・チャネル、  
ＭＴＣＨ：ＭＢＭＳポイント・トゥ・マルチポイント・トラフィック・チャネル、  
ＰＣＣＨ：ページング制御チャネル、  
ＰＣＨ：ページング・チャネル、  
ＰＤＵ：プロトコル・データ・ユニット、  
ＰＨＹ：物理レイヤ、  
ＰｈｙＣＨ：物理チャネル、  
ＰＭＩ：事前符号化行列インジケータ、  
ＰＲＡＣＨ：物理ランダム・アクセス・チャネル、  
ＲＡＣＨ：ランダム・アクセス・チャネル、  
ＲＬＣ：ラジオ・リンク制御、  
ＲＲＣ：ラジオ・リソース制御、  
ＲＥ：リソース要素、  
ＲＳ：基準信号、  
ＲＴＴ：往復時間、  
Ｒｘ：受信、  
ＳＡＰ：サービス・アクセス・ポイント、  
ＳＤＵ：サービス・データ・ユニット、  
ＳＦＢＣ：空間周波数ブロック符号化、  
ＳＨＣＣＨ：共有チャネル制御チャネル、  
ＳＮ：シーケンス番号、  
ＳＵＦＩ：スーパ・フィールド、  
ＴＡ：タイミング先行、  
ＴＣＨ：トラフィック・チャネル、  
ＴＤＤ：時分割デュプレクス、  
ＴＦＩ：伝送フォーマット・インジケータ、  
ＴＭ：透過モード、  
ＴＭＤ：透過モード・データ、  
ＴＴＩ：送信時間インタバル、  
Ｔｘ：送信、  
Ｕ−：ユーザ−、  
ＵＥ：ユーザ機器、  
ＵＬ：アップリンク、  
ＵＭ：非アクノレッジ・モード、  
ＵＭＤ：非アクノレッジ・モード・データ、  
ＵＭＴＳ：ユニバーサル・モバイル通信システム、  
ＵＴＲＡ：ＵＭＴＳ地上ラジオ・アクセス、  
ＵＴＲＡＮ：ＵＭＴＳ地上ラジオ・アクセス・ネットワーク、  
ＭＢＳＦＮ：マルチキャスト・ブロードキャスト単一周波数ネットワーク、  
ＭＣＥ：ＭＢＭＳ調整エンティティ、  
ＭＣＨ：マルチキャスト・チャネル、  
ＤＬ−ＳＣＨ：ダウンリンク共有チャネル、  
ＭＳＣＨ：ＭＢＭＳ制御チャネル、  
ＰＤＣＣＨ：物理ダウンリンク制御チャネル、  
ＰＤＳＣＨ：物理ダウンリンク共有チャネル。
【００３９】
図３は、本開示のある態様にしたがってデータとＣＲＳとをともに送信しうるシステム３００を例示する。以下により詳しく説明するように、データは、先ず、ＣｏＭＰセット内の任意の基地局のためのＣＲＳを含まないリソース要素（ＲＥ）（単数または複数）にマップされうる。この最初のマップ後（例えば、ＣＲＳのために使用されないＲＥを使い果たした後）、データは、ＣＲＳのために使用されるＲＥにマップされうる。このようなマッピングは、ＣＲＳの送信にも関わらず、ＣｏＭＰ設定でデータを有効に通信することを容易にしうる。
【００４０】
例示するように、システム３００は、例えば、無線ネットワークにアクセスを提供するピア・トゥ・ピア通信モード等において動作するモバイル・デバイス、モバイル基地局、中継ノード、ピコセル・アクセス・ポイント、フェムトセル・アクセス・ポイント、および基地局でありうるアクセス・ポイント３０２、３０４を含みうる。
【００４１】
アクセス・ポイント３０２、３０４は、無線デバイス３０６へＣｏＭＰネットワーク・アクセスを提供しうる。１つの例において、アクセス・ポイント３０２、３０４は、ＣｏＭＰを用いて所与の無線デバイスへ送信するアクセス・ポイントの集合を称するＣｏＭＰセット内にありる。無線デバイス３０６は、モバイル・デバイスやその一部、あるいは、無線ネットワークへのアクセスを受信しうる実質的に任意のデバイスでありうる。さらに、アクセス・ポイント３０２、３０４は、（例えば、無線ネットワークを介したバックホールや、無線等によって）ＣｏＭＰアクセスを提供するために互いに通信しうる。一例では、アクセス・ポイント３０４は、同様の機能を提供するために、アクセス・ポイント３０２と関連して記載される構成要素を備えうることが認識されるべきである。
【００４２】
アクセス・ポイント３０２は、ＣｏＭＰセット内のアクセス・ポイントのためのＲＳのリソース位置を（例えば、他のアクセス・ポイントとのバックホール接続によって）受信あるいは決定するＲＳ位置決定構成要素３０８を含みうる。アクセス・ポイント３０２はまた、データ送信をマップするリソース要素（ＲＥ）（単数または複数）を選択するように構成されうるデータ・マッピング構成要素３１０を含みうる。ＡＰ３０２はまた、ＣｏＭＰセット内のアクセス・ポイントに関する情報を、無線デバイス３０６を含む１または複数の無線デバイスへ提供するように構成されうるＣｏＭＰセット指示構成要素３１２を含みうる。
【００４３】
無線デバイス３０６は、ＡＰ３０２のこれら構成要素に対する補足的な動作を実行するように構成された構成要素を含みうる。例として、無線デバイス３０６は、アクセス・ポイントのＣｏＭＰセットに関する情報を受信するように構成されたＣｏＭＰセット受信構成要素３１４を含みうる。無線デバイス３０６はまた、ＣｏＭＰアクセス・ポイントによって、リソースのセットを介して送信されたデータを復号するように構成された復号構成要素３１６を含みうる。
【００４４】
例によれば、ＲＳ位置決定構成要素３０８は、例えばアクセス・ポイント３０４のような、他のアクセス・ポイント、または、ＣｏＭＰセット内の関連するセルのためのＲＳ位置に関する情報を受信しうる。ＲＳ位置決定構成要素３０８は、この情報を、例えば、アクセス・ポイントから、コア無線ネットワークから、アクセス・ポイント３０４等と以前に通信していた無線デバイスから、受信しうる。別の例において、ＲＳ位置決定構成要素３０８は、この識別子、および／または、関連するセルの識別子に基づいて、アクセス・ポイントのためのＲＳ位置を計算しうる。
【００４５】
何れの場合であれ、データ・マッピング構成要素３１０は、先ず、（ＣｏＭＰセット内の何れかのアクセス・ポイントの）ＲＳ位置に対応しない、選択されたＲＥ（単数または複数）にデータをマップしうる。この最初のマッピング後に、送信すべきデータが未だに存在するのであれば、この残りのデータは、ＲＳ位置に対応するＲＥ（単数または複数）にマップされうる。この点に関し、データのほとんどは、ＣｏＭＰセット内のアクセス・ポイントによって送信されたＲＳ（単数または複数）からの干渉無く送信されうる。
【００４６】
ある態様によれば、ＣｏＭＰセット指示構成要素３１２は、ＣｏＭＰセットのアクセス・ポイントに関する情報を、無線デバイス３０６（例えば、アクセス・ポイントおよび／または関連するセルの識別子）へ提供しうる。
【００４７】
ＣｏＭＰセット受信構成要素３１４は、ＣｏＭＰセット情報を取得し、ＣｏＭＰセット内のアクセス・ポイントに関連する１または複数のＲＳ位置を決定しうる。例えば、ＣｏＭＰセット受信構成要素３１４は、（例えば、ＲＳをいつ送信すべきかを決定するために、アクセス・ポイントによって使用されるものと同じアルゴリズムを適用することによって、ＲＳを送信するためにリソースを割り当てるコア・ネットワーク構成要素に識別子を提供すること等によって、）アクセス・ポイントまたは関連するセル識別子に少なくとも部分的に基づいて、ＲＳ位置を決定しうる。
【００４８】
復号構成要素３１６は、ＲＳリソース位置を認識することに少なくとも部分的に基づいて、データを復号しうる。これによって、復号構成要素３１６は、例えば、ＲＳリソース位置上のＲＳおよびデータを復号できるようになる。ある態様によれば、復号構成要素３１６は、ＣＲＳトーンを備えるシンボル内に位置するトーンのためのレート・マッチング・スキームを導出し、ＣＲＳトーンを決定することに基づいてデータを復号しうる。
【００４９】
さらに別の例によれば、アクセス・ポイント３０２、３０４は、ＣＲＳ送信に関わらず、データを送信しうる。これによって、ＣＲＳが送信された場合、データ・リソースが、ＣＲＳと重ね合わされる。（例えば、参加しているアクセス・ポイントに基づいて決定された）ＣＲＳ位置の知見をもって、無線デバイス３０６は、ＣｏＭＰデータ送信に参加している他のセルからのＣＲＳトーンとオーバラップするデータ・トーンを復号するために、統合検出または干渉除去（またはその他の技術）を適用しうる。
【００５０】
図４は、通信フレーム内のリソース・ブロック４００部分の例を例示する。説明するように、ＣｏＭＰセット内のアクセス・ポイントは、セル識別子に応じて選択されたリソースによってＣＲＳを送信しうる。この例において、ＣｏＭＰセット内のアクセス・ポイントは、リソース・ブロック４０２、４０４、４０８、４１６でＲＳを送信しうる。一例に記載されるように、アクセス・ポイントは、ＣｏＭＰセット内のアクセス・ポイントのためのＲＳ位置に関する情報を受信しうる。
【００５１】
以下にさらに詳しく説明されるように、アクセス・ポイントは、先ず、ＣＲＳ送信中のマッピングを回避するために、リソース・ブロック４０６、４１０、４１２、４１４、４１８によってデータを送信しうる。この例において、デバイスは、リソース・ブロック４０６、４１０、４１２、４１４、４１８内のＣＲＳ干渉の無いリソース要素でデータ送信を受信しうる。追加のリソース・ブロックが必要とされる場合、アクセス・ポイントは、ＲＳ位置に対応するリソース・ブロック上にマップしうることが認識されるべきである。
【００５２】
図５は、ＣｏＭＰアクセス・ポイントから受信した信号からのデータを復号する方法５００を例示する。この動作は、例えば、無線デバイス３０６の受信構成要素３１４および復号構成要素３１６によって実行されうる。
【００５３】
５０２では、データ上に重ね合わされたＣＲＳを備えるＣｏＭＰ信号が受信されうる。説明するように、ＣｏＭＰ信号は、さまざまなＣｏＭＰアクセス・ポイントから受信されうる。５０４では、ＣＲＳに対応する信号におけるトーンが判定される。
【００５４】
前述したように、これらトーンは、統合検出、干渉除去等を用いて判定されうる。別の例では、これらトーンは、説明するように、受信されたアクセス・ポイント識別子または関連するセル識別子に基づいて、ＣＲＳのリソース位置を計算することに少なくとも部分的に基づいて判定されうる。さらに、例えば、ＣＲＳトーンに関連するレート・マッチング・スキームは、決定されたＣＲＳリソース位置に基づいて導出または復号されうる。５０６では、ＣＲＳトーンを判定することに少なくとも部分的に基づいて、信号からデータが復号されうる。
【００５５】
図６は、ＣＲＳを送信するために使用されるものとは異なるリソースによる送信のために、データをマップすることを容易にする方法６００を例示する。この動作は、例えば、アクセス・ポイント３０２のＲＳ位置決定構成要素３１０およびデータ・マッピング構成要素３１２によって実行されうる。
【００５６】
６０２では、ＣＲＳを送信する１または複数のＣｏＭＰアクセス・ポイントに関連するＲＳ位置が受信されうる。説明するように、ＲＳ位置は、ＣｏＭＰアクセス・ポイント、無線ネットワーク等から受信されうるか、および／または、ＣｏＭＰセット内のアクセス・ポイントの識別子に基づいて計算されうる。６０４では、データ送信が先ず、ＣＲＳのリソース位置に関連しないリソースにマップされうる。したがって、例えば、データは、先ず、ＣｏＭＰセット内のアクセス・ポイントのＣＲＳからの干渉を緩和するために、このようなリソースを回避しうる。
【００５７】
図７は、ＣＲＳと重ね合わされたデータを送信するために、例えば、アクセス・ポイント３０２によって実行されうる動作７００の例を例示する。これら動作は、図８および図９を参照して記載される。
【００５８】
これら動作は、７０２において、先ず、データ送信を、ＣＲＳのリソース位置に関連しないリソースにマップすることによって始まる。例えば、図８に例示するように、（ラベル「Ｄ」および斜線を用いて例示された）データは、先ず、ＣＲＳのためのＲＥに関連しないＲＥ４０６、４１０にマップされうる。
【００５９】
ブロック７０４において、マップすべきさらなるデータがないと判定されると、データは、ＣＲＳのためのＲＥ（単数または複数）に関連するリソースを用いることなく送信されうる（７０８）。一方、データが存在する場合、７０６において、残りのデータ送信が、ＣＲＳのリソース位置に関連するリソースにマップされうる。
【００６０】
例えば、図９に例示するように、さらなるデータが、ＣＲＳのためのＲＥに関連するＲＥ４０２、４０４にマップされうる。ある態様によれば、干渉を緩和するために、サービス提供アクセス・ポイントは先ず、ＣｏＭＰセット内の他のアクセス・ポイントのためのＣＲＳに関連するＲＥ位置にデータをマップしうる。
【００６１】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。方法請求項は、さまざまなステップの要素を、サンプル順で示しており、示された具体的な順序または階層に限定されないことが意味される。
【００６２】
当業者であれば、情報および信号は、さまざまな異なる技術および技法のうちの何れかを用いて表されうることを理解するであろう。例えば、上記記載を通じて参照されたデータ、命令群、指示、情報、信号、ビット、シンボル、およびチップは、電圧、電流、電磁波、磁場または磁気粒子、光場または光粒子、またはこれらの任意の組み合わせによって表されうる。
【００６３】
当業者であればさらに、本明細書で開示された実施形態に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとのこの相互置換性を明確に例示するために、例示的なさまざまな構成要素、ブロック、モジュール、回路、およびステップが、これらの機能の観点から一般に上述された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【００６４】
本明細書で開示される実施形態に関連して記載されるさまざまな例示的な論理ブロック、モジュール、および回路は、汎用プロセッサ、デジタル信号プロセッサ（ＤＳＰ）、特定用途向けＩＣ（ＡＳＩＣ）、フィールド・プログラマブル・ゲート・アレイ（ＦＰＧＡ）あるいはその他のプログラマブル論理デバイス、ディスクリート・ゲートまたはトランジスタ・ロジック、ディスクリート・ハードウェア構成要素、あるいは、本明細書に記載の機能を実行するために設計されたこれら任意の組み合わせによって実装または実行される。汎用プロセッサはマイクロプロセッサでありうるが、代替例では、このプロセッサは、従来の任意のプロセッサ、コントローラ、マイクロコントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６５】
本明細書で開示された実施形態に関して記述された方法またはアルゴリズムのステップは、ハードウェアにおいて直接的に、プロセッサによって実行されるソフトウェア・モジュールによって、あるいはこれら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、あるいは当該技術で周知のその他任意の形態の記憶媒体に存在しうる。
【００６６】
典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリート部品として存在しうる。
【００６７】
開示された実施形態の上記記載は、当業者をして、本開示の製造または利用を可能とするように提供される。これら実施形態に対するさまざまな変形例もまた、当業者には明らかであって、本明細書で定義された一般的な原理は、本開示の主旨または範囲から逸脱することなく他の例にも適用されうる。このように、本開示は、本明細書で示された実施形態に限定されるものではなく、本明細書で開示された原理および新規な特徴に一致した最も広い範囲に相当することが意図されている。
【図１】
2013501424.tif 000003
【図２】
2013501424.tif 000004
【図３】
2013501424.tif 000005
【図４】
2013501424.tif 000006
【図５】
2013501424.tif 000007
【図６】
2013501424.tif 000008
【図７】
2013501424.tif 000009
【図８】
2013501424.tif 000010
【図９】
2013501424.tif 000011
【国際調査報告】
2013501424.tif 000012
2013501424.tif 000013
2013501424.tif 000014
2013501424.tif 000015
2013501424.tif 000016
2013501424.tif 000017